(57)【要約】【課題】  撮像素子及びレンズからなる撮像部を筐体に設けた携帯端末装置において、撮像素子とレンズとの間隔寸法を変更させる可変機構を筐体内部に容易に組み込むことができるようにする。【解決手段】  可変機構２１が、レンズ２９を保持するレンズホルダー４１と、レンズホルダー４１の外周面から半径方向に突出するホルダーレバー４３と、外方に露出して筐体２に形成された軌道孔５２の長手方向に移動可能なスライド操作部４５と、レンズホルダー４１を回転させた際にレンズ２９を光軸Ｌ２方向に移動させる可動機構とを備え、スライド操作部４５が、軌道孔５２に係合する係合部５３と、筐体２の内部側に配され、ホルダーレバー４３に連結する連結部６７とを備え、スライド操作部４５を軌道孔５２に沿って移動させた際に、レンズホルダー４１が光軸Ｌ２を中心として回転することでレンズ２９と撮像素子２７との間隔寸法を変更させる携帯端末装置を提供する。【選択図】      図３
2005107295.tif 000002
【特許請求の範囲】
【請求項１】
撮像素子と、該撮像素子上に映像を結像させるレンズとを備える撮像部が少なくとも１つの筐体に設けられ、
前記筐体内部に設けられ、前記撮像部の光軸方向に関する前記撮像素子及びレンズの間隔寸法を変更させる可変機構を備えた携帯端末装置であって、
前記可変機構が、前記レンズを保持するレンズホルダーと、該レンズホルダーの外周面から半径方向に突出するホルダーレバーと、前記筐体の外方に露出すると共に前記筐体に形成された軌道孔の長手方向に移動可能なスライド操作部と、前記光軸を中心として前記レンズホルダーを回転させた際に前記レンズを光軸方向に移動させる可動機構とを備え、
前記スライド操作部が、前記軌道孔に係合する係合部と、前記筐体の内部側に配され、前記ホルダーレバーに連結する連結部とを備え、
前記スライド操作部を前記軌道孔に沿って移動させた際に、前記連結部を介して前記ホルダーレバーが移動されて、前記レンズホルダーが前記光軸を中心として回転することで前記レンズと前記撮像素子との間隔寸法を変更するようにしたことを特徴とする携帯端末装置。
【請求項２】
前記連結部が、前記スライド操作部の移動方向に配列されると共に、前記ホルダーレバーを挟み込む一対の突起部からなり、
少なくとも前記ホルダーレバーと接触する前記突起部の接触面が、前記突出方向を中心とする凸曲面に形成されていることを特徴とする請求項１に記載の携帯端末装置。
【請求項３】
前記一対の突起の先端が、先細り状に形成されていることを特徴とする請求項２に記載の携帯端末装置。
【請求項４】
前記スライド操作部が、前記筐体の外方側に配されたスライドノブと、前記筐体の内部側に配されたアーム部材とを備え、
前記スライドノブに前記係合部が一体的に形成され、
前記アーム部材が前記スライドノブに対して係止する係止部を備え、
これらスライドノブ及びアーム部材を前記筐体に取り付けた状態において、前記スライド操作部の移動方向の軸線を中心として前記スライド操作部が揺動することを規制する規制手段を備えることを特徴とする請求項１から請求項３のいずれか１項に記載の携帯端末装置。
【請求項５】
前記スライド操作部の移動軌跡の両端部において前記スライド操作部の位置を保持するクリック機構を備え、
該クリック機構が、前記スライド操作部に形成された弾性変形可能な凸部と、前記筐体の内部側に形成され、前記凸部の突出方向の逆側に突出する保持凸部とを備え、
これら凸部及び保持凸部が、前記スライド操作部の移動方向に互いに重ねて配されていることを特徴とする請求項１から請求項４のいずれか１項に記載の携帯端末装置。
【請求項６】
前記スライド操作部が、前記筐体の内部側に突出する突出部を備え、
前記筐体内部に、押し下げ可能な切換スイッチ部と、該切換スイッチ部の押し下げに基づいて前記撮像素子及びレンズの間隔寸法を識別する制御部とが設けられ、
前記スライド操作部を前記軌道孔の一方の端部側に移動させた際に、前記突出部が前記切換スイッチ部を押し下げることを特徴とする請求項１から請求項５のいずれか１項に記載の携帯端末装置。
【発明の詳細な説明】
【技術分野】
【０００１】
この発明は、通常撮影モードと接写撮影モードとを有する撮像部を備えた携帯電話機、ＰＤＡ（Ｐｅｒｓｏｎａｌ  Ｄｉｇｉｔａｌ  Ａｓｓｉｓｔａｎｔｓ）等の携帯端末装置に関する。
【背景技術】
【０００２】
従来の携帯端末装置としては、筐体内部に収容されるカメラモジュール、およびカメラモジュールの撮影モードを通常撮影モードと接写撮影モードとに切り換えるレバー機構を備えたものがある（例えば、特許文献１参照。）。カメラモジュールは、撮像素子及び撮像素子上に映像を結像させるレンズを備えており、レバー機構は、カメラ外カバーの表面に沿ってスライド操作される操作部と、この操作部と一体的に形成されたレバー本体とを備えている。
また、レンズを固定するレンズホルダーには、レバー本体に連結されるレバーが形成されており、操作部を操作することにより、レンズがカメラモジュールの光軸を中心として回転するようになっている。そして、このレンズの回転によって光軸方向に関する撮像素子とレンズとの相対距離が変化し、撮影モードが切り換えられることになる。
【０００３】
このように構成された携帯端末装置において、レバー機構を筐体内部に組み込む際には、はじめに、筐体を構成する一方のケースに対してレバー本体の位置決めを行う。この位置決めの際には、ガイドピンを予めレバー本体に形成された複数のガイド孔にそれぞれ挿通させると共に、前記一方のケースに固定する。その後、他方のケースを被せることにより、レバー機構が筐体内部の所定位置に保持されることになる。
【特許文献１】特開平６−４３６１１号公報
【発明の開示】
【発明が解決しようとする課題】
【０００４】
しかしながら、上記従来の携帯端末装置においては、ガイドピンを用いて一方のケースに対するレバー本体の位置決めを行う必要があったため、レバー機構の筐体内部への組み込みが面倒であるという問題があった。
そこで、本発明の目的は、上述した事情に鑑みてなされたもので、通常撮影モードと接写撮影モードを有するカメラモジュールを搭載した携帯端末装置において、レンズを回転させる機構の組み込み性を向上できる携帯端末装置を提供することにある。
【課題を解決するための手段】
【０００５】
上記課題を解決するために、この発明は以下の手段を提案している。
本発明に係る携帯端末装置は、撮像素子と、該撮像素子上に映像を結像させるレンズとを備える撮像部が少なくとも１つの筐体に設けられ、前記筐体内部に設けられ、前記撮像部の光軸方向に関する前記撮像素子及びレンズの間隔寸法を変更させる可変機構を備えた携帯端末装置であって、前記可変機構が、前記レンズを保持するレンズホルダーと、該レンズホルダーの外周面から半径方向に突出するホルダーレバーと、前記筐体の外方に露出すると共に前記筐体に形成された軌道孔の長手方向に移動可能なスライド操作部と、前記光軸を中心として前記レンズホルダーを回転させた際に前記レンズを光軸方向に移動させる可動機構とを備え、該スライド操作部が、前記軌道孔に係合する係合部と、前記筐体の内部側に配され、前記ホルダーレバーに連結する連結部とを備え、前記スライド操作部を前記軌道孔に沿って移動させた際に、前記連結部を介して前記ホルダーレバーが移動されて、前記レンズホルダーが前記光軸を中心として回転することで前記レンズと前記撮像素子との間隔寸法を変更するようにしたことを特徴とする。
【０００６】
また、本発明に係る携帯端末装置は、前記連結部が、前記スライド操作部の移動方向に配列されると共に、前記ホルダーレバーを挟み込む一対の突起部からなり、少なくとも前記ホルダーレバーと接触する前記突起部の接触面が、前記突出方向を中心とする凸曲面に形成されていることを特徴とする。
さらに、本発明に係る携帯端末装置は、前記一対の突起の先端が、先細り状に形成されていることを特徴とする。
【０００７】
また、本発明に係る携帯端末装置は、前記スライド操作部が、前記筐体の外方側に配されたスライドノブと、前記筐体の内部側に配されたアーム部材とを備え、前記スライドノブに前記係合部が一体的に形成され、前記アーム部材が前記スライドノブに対して係止する係止部を備え、これらスライドノブ及びアーム部材を前記筐体に取り付けた状態において、前記スライド操作部の移動方向の軸線を中心として前記スライド操作部が揺動することを規制する規制手段を備えることを特徴とする。
【０００８】
さらに、本発明に係る携帯端末装置は、前記スライド操作部の移動軌跡の両端部において前記スライド操作部の位置を保持するクリック機構を備え、該クリック機構が、前記スライド操作部に形成された弾性変形可能な凸部と、前記筐体の内部側に形成され、前記凸部の突出方向の逆側に突出する保持凸部とを備え、これら凸部及び保持凸部が、前記スライド操作部の移動方向に互いに重ねて配されていることを特徴とする。
【０００９】
また、本発明に係る携帯端末装置は、前記スライド操作部が、前記筐体の内部側に突出する突出部を備え、前記筐体内部に、押し下げ可能な切換スイッチ部と、該切換スイッチ部の押し下げに基づいて前記撮像素子及びレンズの間隔寸法を識別する制御部とが設けられ、前記スライド操作部を前記軌道孔の一方の端部側に移動させた際に、前記突出部が前記切換スイッチ部を押し下げることを特徴とする。
【発明の効果】
【００１０】
本発明によれば、スライド操作部を筐体の軌道孔に係合させる構成となっているため、可変機構を筐体内部に組み込む際に、筐体に対するスライド操作部の位置決めを行う必要がない。したがって、可変機構を容易に筐体内部に組み込むことができ、携帯端末装置の製造効率の向上も図ることができる。
【発明を実施するための最良の形態】
【００１１】
図１から図１０は本発明に係る一実施形態を示しており、ここで説明する実施の形態は、この発明を携帯電話機に適用した場合のものである。
この実施の形態に係る携帯電話機（携帯端末装置）１は、図１に示すように、第１の筐体２と、この第１の筐体２の厚さ方向に重ね合わせ可能な第２の筐体３と、これら２つの筐体２，３を、その重ね合わせ方向に延びる基準軸線Ｌ１を中心として回動可能に連結する連結手段５とを備えている。なお、連結手段５は、２つの筐体２，３の各端部２ｂ，３ｂ（以下、基端部２ｂ，３ｂと呼ぶ。）同士を連結するようになっている。
【００１２】
重ね合わせ時に第２の筐体３と対向する第１の筐体２の内面２ａには、通話キー、終話キー、テンキー等の各種押圧可能な操作キーからなる第１の操作部７が設けられている。また、内面２ａのうち、基端部２ｂの反対側に位置する第１の筐体２の先端部２ｃには、マイクロフォン部９が設けられている。これら第１の操作部７及びマイクロフォン部９は、第１、第２の筐体２，３を開いた状態から基準軸線Ｌ１を中心に相互に１８０°回動して、図２（ａ）に示すように、重ね合わせて閉じた状態において、第２の筐体３により覆い隠されるようになっている。さらに、この内面２ａに隣接する第１の筐体２の側面２ｄには、複数の押圧可能な操作キーからなる第２の操作部１１が設けられており、この第２の操作部１１は、２つの筐体２，３を相互に閉じた状態においても外方に露出している。
第１の筐体２の内面２ａと略同方向に向く第２の筐体３の外面３ａには、各種情報を表示する表示部１３が設けられ、また、この外面３ａのうち、基端部３ｂの反対側に位置する第２の筐体３の先端部３ｃには、スピーカー部１５が設けられている。これら表示部１３及びスピーカー部１５は２つの筐体２，３を相互に閉じても外方に露出している。
【００１３】
また、図２（ｂ）に示すように、内面２ａの反対側に向く第２の筐体３の外面２ｅ側には、被写体を撮影するための撮像部１７と、暗い場所において撮影する際に被写体を照らす撮影用の照明部１９と、撮像部１７の撮影モードを通常撮影モードと接写撮影モードとに切り換える切換機構（可変機構）２１とが設けられている。ここで、通常撮影モードは、撮像部１７から被写体までの距離が比較的遠い場合に使用するものであり、例えば、撮像部１７からの距離が７００ｍｍから無限大にある被写体に焦点を合わせることができる撮影モードである。また、接写撮影モードは、撮像部１７から被写体までの距離が比較的近い場合に使用するものであり、例えば、撮像部１７からの距離が４００ｍｍ以内にある被写体に焦点を合わせることができる撮影モードである。
照明部１９は２つの発光部２３，２５を備えており、一方の発光部２３は接写撮影モードにおいて被写体を照らす光量の小さい発光ダイオードからなり、他方の発光部２５は通常撮影モードにおいて被写体を照らす光量の大きいキセノン管フラッシュとからなる。
【００１４】
撮像部１７は、図３に示すように、第１の筐体２の外面２ｅに略直交する光軸Ｌ２に沿って順次配列されたレンズ窓２７、レンズ２９及び撮像素子３１を備えている。レンズ窓２７は、光を透過させるガラスやアクリル等の透過性材料から形成されており、第１の筐体２の外面２ｅから内部に貫通する貫通孔２８を隙間無く塞いでいる。
撮像素子３１は、被写体からの光を受光して、光の明暗に比例した電気信号を出力することにより被写体の撮影を行う、所謂ＣＣＤ（Charge-Coupled Device）からなり、円筒部３３を有する支持部材３５を介して回路基板３７に搭載されている。光軸Ｌ２を中心とする円筒部３３の外周面には、雄ねじ３３ａが形成されている。なお、回路基板３７は、厚さ方向に分割可能な２つのケース部材３６，３８からなる第１の筐体２のうち、内面２ａ側を形成する第１のケース部材３６の主壁部４０に近接して固定されている。
【００１５】
レンズ２９は、撮像素子３１に映像を結像させるものであり、略円筒状のレンズホルダー４１に固定されている。レンズホルダー４１の内周面には支持部材３５の雄ねじ３３ａに螺合する雌ねじ４１ａが形成されている。これら雄ねじ３３ａ及び雌ねじ４１ａは、支持部材３５に対してレンズホルダー４１を回転させることにより、レンズ２９が光軸Ｌ２方向に移動してレンズ２９と撮像素子３１との間隔寸法を変化させる可動機構を構成している。この間隔寸法の変化により、撮像部１７の焦点距離が切り換えられることになる。
なお、以上のように構成された撮像部１７において撮影された映像は、前述した表示部１３において視認することができる。
【００１６】
切換機構２１は、前述したレンズホルダー４１及び可動機構と、レンズホルダー４１の外周面から半径方向外方に突出するホルダーレバー４３と、ホルダーレバー４３に連結するスライド操作部４５とを備えている。スライド操作部４５は、使用者の手指によりレンズホルダー４１を回転させるものであり、ポリアセタール等の弾性変形可能な樹脂材料からなるスライドノブ４７及びアーム部材４９から構成されている。
スライドノブ４７は、第２のケース部材３８の外面２ｅに形成した凹部５０に収容されるつまみ部５１と、凹部５０の底面から第１の筐体２の内部に貫通した軌道孔５２に係合する一対の係合部５３，５３とを備えている。
つまみ部５１は、図４に示すように、平面視略長方形の略薄板状に形成されており、その表面５１ａには、つまみ部５１の長手方向（ＤＥ方向）に沿って配列された複数の突起５４が形成されている。
【００１７】
一対の係合部５３，５３は、つまみ部５１の裏面５１ｂからつまみ部５１の厚さ方向に突出して形成されており、ＤＥ方向に直交するつまみ部５１の幅方向に配列されている。各係合部５３の先端部には前記幅方向の外方側に突出する略楔状の鉤部５５がそれぞれ形成されている。これら係合部５３，５３は、つまみ部５１の幅方向に弾性変形できるようになっている。
また、一方の係合部５３には、その先端部からつまみ部５１の厚さ方向にさらに突出する爪部５７が形成されている。爪部５７は、ＤＥ方向に突出する一対の鉤部５９，５９を備えており、これら鉤部５９，５９は略楔状に形成されている。
【００１８】
アーム部材４９は、図５に示すように、平面視略長方形の略板状に形成されており、その厚さ方向に貫通する略矩形状の貫通孔６１を形成したものである。この貫通孔６１の内壁面には、アーム部材４９の長手方向（ＤＥ方向）に突出する一対の係止部６３，６３が設けられており、これら係止部６３，６３は、図４に示すスライドノブ４７の爪部５７に係止するように形成されている。すなわち、図６に示すように、各係止部６３の先端部には、略楔状の鉤部６５がそれぞれ形成されており、アーム部材４９の表面４９ａをスライドノブ４７の裏面５１ｂに対向させた状態で爪部５７の鉤部５９に係合するようになっている。なお、このアーム部材４９の係止部６３，６３は、それぞれアーム部材４９の長手方向の外方側に弾性変形できるようになっている。
【００１９】
また、図５に示すように、このアーム部材４９には、その裏面４９ｂ側に突出する一対の突起部（連結部）６７，６７、及び１つの突出部６９が設けられている。一対の突起部６７，６７は、それぞれ略円柱状に形成されており、ＤＥ方向に配列されている。また、各突起部６７の先端は先細り状に形成されている。突出部６９は、図６に示すように、回路基板３７に搭載された切換スイッチ部７１の押圧部７３を押し下げるものである。
さらに、図５に示すように、このアーム部材４９は、その幅方向の一端部に設けられたガイド部７５と、その幅方向の他端部に位置する側壁部４９ｃに形成された凸部７７とを備えている。ガイド部７５は、アーム部材４９の長手方向にわたって表面４９ａから厚さ方向に突出して形成されている。凸部７７は、アーム部材４９の幅方向外方側に突出し、アーム部材４９の長手方向に沿って滑らかな凸面状に形成されている。なお、凸部７７を有する側壁部４９ｃは、アーム部材４９の幅方向に弾性変形可能となっている。
【００２０】
図１、２に示す連結手段５は、基準軸線Ｌ１を中心線とする略円筒状の回転軸（不図示）を備えており、この回転軸の貫通孔を介して２つの筐体２，３の内部空間を相互に連通させている。２つの筐体２，３の内部に設けられた回路基板や各種電子部品は、この貫通孔を介してケーブル（不図示）により相互に電気的に接続されている。これにより、例えば、第１の筐体２に設けられた撮像部１７において撮影された映像は、第２の筐体３に設けられた表示部１３において表示させることができる。
【００２１】
以上のように構成された携帯電話機１において、第１の筐体２に対する切換機構２１の組み込み方法について説明する。
はじめに、図７に示すように、スライドノブ４７の係合部５３，５３を第２のケース部材３８の外面２ｅ側から軌道孔５２に挿入する。ここで、軌道孔５２の幅方向の寸法は、一対の鉤部５５，５５の幅寸法よりも狭く形成されているため、この挿入の際には一対の係合部５３，５３が相互に近づく方向に弾性変形する。そして、鉤部５５，５５が軌道孔５２を抜けた後に、係合部５３，５３が弾性復帰して軌道孔５２に係合することになる。
なお、この状態においては、つまみ部５１がＥＤ方向の直交方向（ＦＧ方向）に面する凹部５０の２つの側壁面に当接し、スライドノブ４３のＦＧ方向への移動が規制されている。
【００２２】
ここで、軌道孔５２の長手方向（ＤＥ方向）の寸法は、係合部５３，５３のＤＥ方向の長さ寸法よりも大きいため、スライドノブ４７を軌道孔５２の長手方向の両端間でＤＥ方向に移動させることができる。また、係合部５３，５３が軌道孔５２の長手方向の端部に当接している状態においては、つまみ部５１の長手方向端部も凹部５０の側壁面に当接することになる。
なお、このスライドノブ４７を取り付けた第２のケース部材３８の内側には、係合部５３，５３の突出方向に突出すると共に、軌道孔５２の長手方向にわたって配された内側壁部７９が、軌道孔５２に隣接して形成されている。そして、係合部５３に対向する内側壁部７９の表面７９ａには、係合部５３側に向けて突出する保持凸部８１が形成されている。この保持凸部８１は、ＥＤ方向にわたって滑らかな凸面状に形成されている。
【００２３】
スライドノブ４７を第２のケース部材３８に取り付けた後には、図８に示すように、アーム部材４９の係止部６３を、第２のケース部材３８の内側に突出するスライドノブ４７の爪部５７に係止させて、スライドノブ４７とアーム部材４９とを一体的に固定する。
この状態においては、アーム部材４９のガイド部７５が、第２のケース部材３８の内側にＥＤ方向に沿って窪んで形成された軌道凹部８３に入り込むため、アーム部材４９は、ＥＤ方向にのみ移動可能となっている。
したがって、スライドノブ４７及びアーム部材４９を第２のケース部材３８に取り付けた状態においては、スライドノブ４７のつまみ部５１が凹部５０により、また、アーム部材４９が軌道凹部８３により、それぞれＦＧ方向に対して移動不能となる。このため、軌道孔５２に挟まれて位置する係合部５３，５３を中心に、すなわち、スライド操作部４５の移動方向の軸線を中心にスライド操作部４５が揺動することを抑制できる。これら第２のケース部材３８に形成された凹部５０及び軌道凹部８３と、アーム部材４９のガイド部７５とにより、スライド操作部４５の揺動を規制する規制手段１１０が構成される。
【００２４】
また、スライドノブ４７の係合部５３が軌道孔５２の端部に位置している状態においては、アーム部材４９の凸部７７と第２のケース部材３８の保持凸部８１とが、相互に逆向きに突出すると共にＤＥ方向に重なるように配されている。このため、この状態においては、スライド操作部４５がＤＥ方向に沿って不意に移動することを防止し、スライド操作部４５の位置を保持できる。
なお、この状態から所定以上の力によりスライド操作部４５をＤＥ方向に移動させた場合には、凸部７７を有するアーム部材４９の側壁部４９ｃが弾性変形して、凸部７７が第２のケース部材３８の保持凸部８１を乗り越えることになる。これらアーム部材４９の凸部７７及び第２のケース部材３８の保持凸部８１により、スライド操作部４５の位置が変更されたことを認識するクリック機構１２０が構成されている。
【００２５】
以上のように、スライド操作部４５を第２のケース部材３８に取り付けた後に、図３に示すように、第１のケース部材３６の所定位置に回路基板３７、切換スイッチ部７１及びレンズ窓２７を除く撮像部１７をそれぞれ固定し、最後に、２つのケース部材３６，３８を相互に閉じて第１の筐体２を構成する。
この際には、図９に示すように、撮像部１７のホルダーレバー４３をアーム部材４９の突起部６７の先端側から一対の突起部６７，６７の間に挿入するが、突起部６７の先端が先細り状に形成されているため、ホルダーレバー４３がこの先端の傾斜面によって一対の突起部６７の間に案内されることになる。
なお、スライド操作部２１が軌道孔５２の一端部に位置している場合には、ホルダーレバー４３が突起部６７，６７の配列方向に対して斜めに進入した状態となる。また、この状態においては、２つの突起部６７，６７が共にホルダーレバー４３に当接している。
【００２６】
以上のように構成された携帯電話機１の使用方法について説明する。
携帯電話機１を鞄や衣服のポケットに収容して携行する場合には、図２に示すように、２つの筐体２，３を閉じた状態とする。この状態においては、表示部１３が外方に露出しているため、例えば、着信したメールやインターネットを閲覧する場合に、各種情報を表示部１３において視認することができる。
この状態において、例えば、遠くの被写体を撮影する場合には、第１の筐体２の側面に形成された第２の操作部１１を適宜操作して写真撮影可能な状態にする。そして、図７（ａ）に示すように、スライドノブ４７が凹部５０の一端部側、すなわち、通常撮影モードとなるＥ方向側に位置していることを確認する。
【００２７】
この状態から近くの被写体を撮影する場合には、使用者がつまみ部５１の突起５４に指を引っ掛け、所定以上の力によりつまみ部５１をＤ方向に沿って移動させる。このスライド操作部４５の移動の際には、図１０に示すように、２つの突起部６７，６７により挟まれたホルダーレバー４３が、光軸Ｌ２を中心として回動するため、撮像部１７の焦点距離が切り換えられて撮像部１７の撮影モードが接写撮影モードとなる。
また、この移動の際には、前述したように、アーム部材４９の凸部７７が弾性変形して、第２のケース部材３８の保持凸部８１を乗り越えることになる。
さらに、この移動の際には、図６に示すように、アーム部材４９の突出部６９によって切換スイッチ部７１の押圧部７３が押し下げられた状態となる。第１の筐体２の内部に設けられ、切換スイッチ部７１と電気的に接続された制御部７２は、この押圧部７３の押し下げに基づいて撮像部１７の撮影モードが接写撮影モードにあることを認識すると共に、撮影時に照明部１９により被写体を照らす際に、発光量の小さい発光部２３を選択する。なお、切換スイッチ部７１の押圧部７３の押し下げが解除された状態においては、制御部７２が、撮像部１７の撮影モードが通常撮影モードにあることを認識すると共に、撮影時に発光量の大きい発光部２５を選択する。
以上のように、撮像部１７の撮影モードを選択した後に、図２に示すように、第２の操作部１１を操作して被写体の撮影を行う。なお、この被写体の撮影は、２つの筐体２，３を相互に開いた状態において行っても良い。
【００２８】
また、２つの筐体２，３を相互に閉じて携行している状態から、例えば、第１の操作部７を用いたメール等の文章作成や電話番号の入力や、マイクロフォン部９及びスピーカー部１５を用いた通話を行う場合には、図１に示すように、第２の筐体３を第１の筐体２に対して基準軸線Ｌ１を中心にＡ方向に１８０°回動させ、第１の操作部７やマイクロフォン部９を外方に露出させるように２つの筐体２，３を相互に開く。
そして、２つの筐体２，３を相互に開いた状態での携帯電話機の使用が終了した際には、第２の筐体３を第１の筐体２に対してＡ方向とは逆のＢ方向に回動させて閉じる動作を行う。
【００２９】
上記のように、この携帯電話機１によれば、スライド操作部４５を第１の筐体２の軌道孔５２に係合させる構成となっているため、切換機構２１を第１の筐体２の内部に組み込む際に、第１の筐体２に対するスライド操作部４５の位置決めを行う必要がない。したがって、切換機構２１を容易に第１の筐体２内部に組み込むことができ、携帯電話機１の製造効率の向上も図ることができる。
また、ホルダーレバー４３が、いずれか一方の撮影モードとなる位置に配されている場合には、突起部６７，６７の配列方向に対して斜めに進入した状態となり、この状態において、ホルダーレバー４３は一対の突起部６７，６７の滑らかな凸曲面に当接するため、ホルダーレバー４３が傷つくことを防止できる。
【００３０】
さらに、一対の突起部６７，６７は凸曲面を有しているため、ホルダーレバー４３を挟み込む一対の突起が角部を有する、例えば角柱状に形成した場合と比較して、一対の突起部６７，６７の間隔を狭めることができる。すなわち、凸曲面を有する突起部６７，６７は、ホルダーレバー４３が当接する角柱の角部を削り取った面を形成するため、この削り量の分だけ突起部６７，６７の間隔を狭めることができる。したがって、スライド操作部４５の小型化を図って切換機構２１の構成をコンパクトにまとめることができる。
また、ホルダーレバー４３を突起部６７，６７の突出方向から一対の突起部６７，６７の間に挿入する際に、ホルダーレバー４３の挿入位置が一対の突起部６７，６７に対してずれていても、ホルダーレバー４３が突起部６７，６７の先端に形成された傾斜面によって所定位置に案内されるため、ホルダーレバー４３とスライド操作部４５との組み込み性を向上させることができる。
【００３１】
さらに、規制手段１１０によってスライド操作部４５の移動方向の軸線を中心に、すなわち、軌道孔５２に挟まれて位置する係合部５３，５３を中心にスライド操作部４５が揺動することを抑制できるため、スライド操作部４５の操作感を向上させることができる。
そして、一対のケース３６，３８を閉じてホルダーレバー４３を２つの突起部６７，６７の間に挿入する際にも、スライド操作部４５が不意に揺動しないため、ホルダーレバー４３を容易に突起部６７，６７の間に挿入でき、第１の筐体２に対する切換機構２１の組み込み性をさらに向上させることもできる。
【００３２】
また、撮影モードを変更する際には、所定以上の力によりスライド操作部４５を移動させるクリック機構１２０を備えているため、２つの撮影モードのいずれかに移行したことを容易に認識できる所謂クリック感が得られる。
さらに、２つのケース部材３６，３８を相互に閉じて、ホルダーレバー４３を２つの突起部６７，６７の間に挿入する際には、クリック機構１２０によりスライド操作部４５を軌道孔５２の一端側の位置に保持させておくことができるため、第１の筐体２に対する切換機構２１の組み込みを容易に行うことができる。
また、アーム部材４９には、レンズホルダーを回転させる一対の突起部６７，６７と、切換スイッチ部７１の押圧部７３を押し下げる突出部６９とが一体的に形成されているため、スライド操作部４５によるレンズ２９の光軸Ｌ２方向への移動と同時に、撮像部１７の撮影モードを制御部７２に識別させることができる。
【００３３】
なお、上記の実施形態においては、アーム部材４９に形成された一対の突起部６７，６７は略円柱状に形成されるとしたが、これに限ることはなく、少なくともホルダーレバー４３に接触する面が凸曲面に形成されていればよい。
また、アーム部材４９にＦＧ方向への移動を規制する規制手段１１０を設けない場合には、スライド操作部４５を１つの部材から形成するとしても構わない。すなわち、例えば、スライドノブ４７の係合部５３，５３の先端に、ホルダーレバー４３に連結する突起、切換スイッチ部７１の押圧部７３を押圧する突出部や、クリック機構１２０の凸部を形成するとしても構わない。
【００３４】
また、制御部７２は、切換スイッチ部７１の押圧部７３の押し下げ状態に基づいて、２つの撮影モードに応じた２つの発光部２３，２５のいずれか一方を選択するとしたが、これに限ることはなく、２つの撮影モードの切り換えと同時に、各撮影モードに応じた各種機能を起動させる、若しくは起動できる状態に設定するとしても構わない。
すなわち、例えば、押圧部７３が押し下げられて接写撮影モードとなる状態において、制御部７２が、撮影される文字を文字情報として認識する文字認識機能や、バーコード読み取り機能を起動させるとしてもよい。
また、制御部７２は、これら文字認識機能やバーコード読み取り機能を起動可能な状態とし、第１、第２の操作部７，１１を操作してこれら機能を起動させるとしてもよい。ただし、この構成の場合には、通常撮影モードにおいて第１、第２の操作部７，１１を操作しても、これら機能が起動しないように設定しておくことが好ましい。
さらに、制御部７２は、各種機能を起動させることに限らず、例えば、押圧部７３が押し下げられた状態において、接写撮影モードに適したホワイトバランス、明るさ、色彩の調整値等の各種パラメータを変更するとしてもよい。
【００３５】
さらに、第２の操作部１１は、押圧可能な複数の操作キーから構成されるとしたが、これに限ることはなく、例えば、回転操作が可能なジョグダイヤルから構成されるとしても構わない。
また、携帯電話機１は、厚さ方向に重ね合わせ可能、かつ、厚さ方向に延びる基準軸線Ｌ１を中心として相互に回動可能な２つの筐体２，３からなるとしたが、これに限ることはなく、折り畳み可能な２つの筐体からなるとしてもよく、また、１つの筐体からなるとしても良い。さらに、携帯電話機１に限ることはなく、例えば、ＰＤＡやノートパソコン等の携帯端末装置であればよい。
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００３６】
【図１】この発明の一実施形態に係る携帯電話機を構成する第１及び第２の筐体を相互に開いた状態を示す概略平面図である。
【図２】図１の携帯電話機において、第１及び第２の筐体を相互に閉じた状態を示しており、（ａ）は、第２の筐体の外面側から見た概略平面図であり、（ｂ）は、第１の筐体の外面側から見た概略平面図である。
【図３】図２（ｂ）のＣ−Ｃ矢視断面図である。
【図４】図１の携帯電話機において、スライドノブを示す概略斜視図である。
【図５】図１の携帯電話機において、アーム部材を示しており、（ａ）は、表面側から見た拡大斜視図、（ｂ）は、裏面側から見た拡大斜視図である。
【図６】図１の携帯電話機において、切換機構を示す拡大断面図である。
【図７】図１の携帯電話機において、スライドノブを第２のケース部材に取り付けた状態を示しており、（ａ）は、第２のケース部材の外方から見た拡大斜視図、（ｂ）は、第２のケース部材の内側から見た拡大斜視図である。
【図８】図１の携帯電話機において、第２のケース部材にスライド操作部を取り付けた状態を示す拡大斜視図である。
【図９】図１の携帯電話機において、スライド操作部にホルダーレバーが連結した状態を示す拡大斜視図である。
【図１０】図１の携帯電話機において、スライド操作部にホルダーレバーが連結した状態を示す拡大斜視図である。
【符号の説明】
【００３７】
１  携帯電話機（携帯端末装置）
２  第１の筐体
１７  撮像部
２１  切換機構（可変機構）
２７  撮像素子
２９  レンズ
４１  レンズホルダー
４３  ホルダーレバー
４５  スライド操作部
４７  スライドノブ
４９  アーム部材
５２  軌道孔
６３  係止部
６７  突起部（連結部）
６９  突出部
７１  切換スイッチ部
７２  制御部
７７  凸部
８１  保持凸部
１１０  規制手段
１２０  クリック機構
Ｌ２  光軸
【図１】
2005107295.tif 000003
【図２】
2005107295.tif 000004
【図３】
2005107295.tif 000005
【図４】
2005107295.tif 000006
【図５】
2005107295.tif 000007
【図６】
2005107295.tif 000008
【図７】
2005107295.tif 000009
【図８】
2005107295.tif 000010
【図９】
2005107295.tif 000011
【図１０】
2005107295.tif 000012